(57)【要約】【課題】  コンピューター情報処理において、入力する目的内容を問題解決に限定して、入力内容を明確にし、プログラムの使用効果を持たす。【解決手段】  入力する項目として、「問題」「原因」「できること」「実行内容」の４項目を簡素化して設定し、これらの項目を、表示装置の同一画面に配置して入力可能にする。さらに、それら４項目を順に入力する。これにより、問題を解決する考え方を整理しやすくなる効果がある。さらに、問題解決に効果的なメッセージを、前記項目を入力する同一画面上に表示するようにした。これにより、メッセージ表示欄に、励ます言葉や、問題解決のヒントになる言葉が表示されるので、問題を解決する考え方の発想を手助けしてくれる効果がある。  また、前記入力項目の「できること」「実行内容」の代わりに、「選択肢」「選択内容」を設定する構成と、それらを切り換える構成をも提供する。【選択図】図２
2015185154.tif 000002
【特許請求の範囲】
【請求項１】
コンピューター処理部と、データ入力部と、画面表示部と、メモリーとで構成した装置において、前記画面表示部の同一画面に、問題入力欄と、原因入力欄と、できること入力欄と、実行内容入力欄とを配置して、各項目を入力可能にし、さらに同一画面にメッセージ表示欄を配置し、メッセージを表示させることを特徴とする問題解決プログラムシステム。
【請求項２】
コンピューター処理部と、データ入力部と、画面表示部と、メモリーとで構成した装置において、前記画面表示部の同一画面に、問題入力欄と、原因入力欄と、できること入力欄と、実行内容入力欄とを配置して、各項目を入力可能にしたことを特徴とする問題解決プログラムシステム。
【請求項３】
コンピューター処理部と、データ入力部と、画面表示部と、メモリーとで構成した装置において、前記画面表示部の同一画面に、問題入力欄と、原因入力欄と、選択肢入力欄と、選択内容入力欄とを配置して、各項目を入力可能にし、さらに同一画面にメッセージ表示欄を配置し、メッセージを表示させることを特徴とする問題解決プログラムシステム。
【請求項４】
コンピューター処理部と、データ入力部と、画面表示部と、メモリーとで構成した装置において、前記画面表示部の同一画面に、問題入力欄と、原因入力欄と、選択肢入力欄と、選択内容入力欄とを配置して、各項目を入力可能にしたことを特徴とする問題解決プログラムシステム。
【請求項５】
コンピューター処理部と、データ入力部と、画面表示部と、メモリーとで構成した装置において、前記画面表示部の同一画面に配置する、問題入力欄と原因入力欄に続く２項目として、できること入力欄及び実行内容入力欄と、選択肢入力欄及び選択内容入力欄とを、交互に切り換えることを特徴とする問題解決プログラムシステム。
【発明の詳細な説明】
【技術分野】
【０００１】  本発明は、コンピューターを使用した表示装置画面での文書項目の入力方法、及び文書項目の表示方法に関するものである。
【背景技術】
【０００２】  パーソナルコンピューターのワープロソフトの文書入力方法は、表示装置入力画面の上部から順次入力するもので、入力する目的内容を定めたものではなかった。
【発明が解決しようとする課題】
【０００３】  本発明は、入力する目的内容を問題解決に限定して、入力内容を明確にし、プログラムの使用効果を持たすことにある。
【課題を解決する手段】
【０００４】  入力内容を、問題解決の項目に限定する。その項目として、「問題」「原因」「できること」「実行内容」を設定し、それらの項目を、表示装置の同一画面で入力可能にする。さらに、問題解決に効果的なメッセージを、前記項目を入力する同一画面上に表示するようにした。
また、前記入力項目の「できること」「実行内容」の代わりに、「選択肢」「選択内容」を設定する構成と、それらを切り換える構成をも提供する。
【実施例】
【０００５】  以下、本発明を図示する実施例で説明する。
【実施例１】  実施例１を、図１と図２で説明する。
図２は、図１の表示装置３の表示画面の一例である。画面表示部５ａの同一画面に、（１）問題入力欄６と、（２）問題の原因入力欄７と、（３）問題に対して、できることの入力欄８と、（４）実行内容入力欄９及びメッセージ表示欄１０とを配置する。
実施例１の動作を説明する。まず、入力装置２により問題入力欄６に、問題を入力する。
次に原因入力欄７に、問題の原因を入力する。次にできることの入力欄８に、問題に対して、できることを入力する。さらに、実行内容入力欄９に、８に入力したできることの中から実際に実行する実行内容を選び入力する。
続いて、入力装置部品のマウス２ａで、（１）〜（４）入力終了ボタン１１を画面上で押す（以下クリックすると記す）と、処理装置１は、入力終了と判断する。
次に、ユーザーはメニューのファイル１２をクリックする。メニュー１２には、内部に、上書き保存、名前を付けて保存、閉じる等のメニューが設けられている。その上書き保存をクリックすると、（１）問題、（２）原因、（３）できること、（４）実行内容等のデータ情報は、図１のメモリー４に記憶される。
メモリー４には、メッセージ表示欄１０に表示するためのメッセージを、あらかじめ記憶させておく。そのメッセージには、ユーザーを励ます言葉、例えば「夢を持とう」、「目標を持とう」、「できると考えよう」、「勇気を持とう」、「ピンチはチャンス」、「元気を出そう」等や、問題解決のヒントになる言葉、例えば「問題を小さな項目に分けてみよう」、「実行の優先順位をつけてみよう」「考え方を変えてみよう」、「逆を考えてみよう」等を多数記憶しておく。
ユーザーは、メッセージ表示メニュー１３をクリックすることで、メモリー４に記憶されているメッセージを、メッセージ表示欄１０に次々に表示させる。
【発明の効果（実施例１）】
【０００６】  本発明の実施例１によれば、以下
１．入力項目を、（１）問題、（２）問題の原因、（３）問題に対してできること、（      ４）実行内容の４項目に簡素化している。
２．表示装置の同一画面に、前記４項目を配置して入力可能にしている。
３．問題を明確にする。
４．問題、問題の原因、問題に対してできること、実行内容を順に入力する。
によって、問題を解決する考え方を整理しやすくなる効果がある。
さらに、メッセージ表示欄１０に、励ます言葉や、問題解決のヒントになる言葉が表示されるので、問題を解決する考え方の発想を手助けしてくれる効果がある。
【実施例２】
【０００７】  次に、実施例２を図３で説明する。実施例２は、前記実施例１のメッセージ表示欄１０を省いたものである。
図３は、図１の表示装置３の表示画面の一例である。画面表示部５ｂの同一画面に、（１）問題入力欄６と、（２）問題の原因入力欄７と、（３）問題に対して、できることの入力欄８と、（４）実行内容入力欄９とを配置する。
実施例２の動作を説明する。図３で、まず入力装置２により問題入力欄６に、問題を入力する。次に原因入力欄７に、問題の原因を入力する。次にできることの入力欄８に、問題に対して、できることを入力する。さらに、実行内容入力欄９に、８に入力したできることの中から実際に実行する実行内容を選び入力する。
続いて、入力装置部品のマウス２ａで、（１）〜（４）入力終了ボタン１１を画面上でクリックすると、処理装置１は、入力終了と判断する。
次に、ユーザーはメニューのファイル１２をクリックする。メニュー１２には、内部に、上書き保存、名前を付けて保存、閉じる等のメニューが設けられている。その上書き保存をクリックすると、（１）問題、（２）原因、（３）できること、（４）実行内容等のデータ情報は、図１のメモリー４に記憶される。
【発明の効果（実施例２）】
【０００８】  本発明の実施例２によれば、以下
１．入力項目を、（１）問題、（２）問題の原因、（３）問題に対してできること、（      ４）実行内容の４項目に簡素化している。
２．表示装置の同一画面に、前記４項目を配置して入力可能にしている。
３．問題を明確にする。
４．問題、問題の原因、問題に対してできること、実行内容を順に入力する。
によって、問題を解決する考え方を整理しやすくなる効果がある。
【実施例３】
【０００９】次に、実施例３を図４で説明する。実施例３は、前記実施例１での（３）問題に対してできること及び（４）実行内容を、（３）選択肢及び（４）選択内容に置き換えたものである。
図４は、図１の表示装置３の表示画面の一例である。画面表示部５ｃの同一画面に、（１）問題入力欄６と、（２）問題の原因入力欄７と、（３）問題に対する選択肢入力欄１４と、（４）選択内容入力欄１５及びメッセージ表示欄１０とを配置する。
実施例３の動作を説明する。まず、入力装置２により問題入力欄６に、問題を入力する。
次に原因入力欄７に、問題の原因を入力する。次に選択肢入力欄１４に、問題に対する選択肢を入力する。さらに、選択内容入力欄１５に、１４に入力した選択肢の中から実際に選択する選択内容を入力する。
続いて、入力装置部品のマウス２ａで、（１）〜（４）入力終了ボタン１１を画面上でクリックすると、処理装置１は、入力終了と判断する。
次に、ユーザーはメニューのファイル１２をクリックする。メニュー１２には、内部に、上書き保存、名前を付けて保存、閉じる等のメニューが設けられている。その上書き保存をクリックすると、（１）問題、（２）原因、（３）選択肢、（４）選択内容等のデータ情報は、図１のメモリー４に記憶される。
メモリー４には、メッセージ表示欄１０に表示するためのメッセージを、あらかじめ記憶させておく。そのメッセージには、前記実施例１で説明したように、励ます言葉や問題解決のヒントになる言葉等を、多数記憶しておく。
ユーザーは、メッセージ表示メニュー１３をクリックすることで、メモリー４に記憶されているメッセージを、メッセージ表示欄１０に次々に表示させる。
【発明の効果（実施例３）】
【００１０】  本発明の実施例３によれば、以下
１．入力項目を、（１）問題、（２）問題の原因、（３）問題に対する選択肢、（４）      選択内容の４項目に簡素化している。
２．表示装置の同一画面に、前記４項目を配置して入力可能にしている。
３．問題を明確にする。
４．問題、問題の原因、問題に対する選択肢、選択内容を順に入力する。
によって、問題を解決する考え方を整理しやすくなる効果がある。
さらに、メッセージ表示欄１０に、励ます言葉や、問題解決のヒントになる言葉が表示されるので、問題を解決する考え方の発想を手助けしてくれる効果がある。
【実施例４】
【００１１】  次に、実施例４を図５で説明する。実施例４は、前記実施例３のメッセージ表示欄１０を省いたものである。
図５は、図１の表示装置３の表示画面の一例である。画面表示部５ｄの同一画面に、（１）問題入力欄６と、（２）問題の原因入力欄７と、（３）問題に対する選択肢入力欄１４と、（４）選択内容入力欄１５とを配置する。
実施例４の動作を説明する。図５で、まず入力装置２により問題入力欄６に、問題を入力する。次に原因入力欄７に、問題の原因を入力する。次に選択肢入力欄１４に、問題に対する選択肢を入力する。さらに、選択内容入力欄１５に、１４に入力した選択肢の中から実際に選択する選択内容を入力する。
続いて、入力装置部品のマウス２ａで、（１）〜（４）入力終了ボタン１１を画面上でクリックすると、処理装置１は、入力終了と判断する。
次に、ユーザーはメニューのファイル１２をクリックする。メニュー１２には、内部に、上書き保存、名前を付けて保存、閉じる等のメニューが設けられている。その上書き保存をクリックすると、（１）問題、（２）原因、（３）選択肢、（４）選択内容等のデータ情報は、図１のメモリー４に記憶される。
【発明の効果（実施例４）】
【００１２】  本発明の実施例４によれば、以下
１．入力項目を、（１）問題、（２）問題の原因、（３）問題に対する選択肢、（４）      選択内容の４項目に簡素化している。
２．表示装置の同一画面に、前記４項目を配置して入力可能にしている。
３．問題を明確にする。
４．問題、問題の原因、問題に対する選択肢、選択内容を順に入力する。
によって、問題を解決する考え方を整理しやすくなる効果がある。
【実施例５】
【００１３】  次に、実施例５を図６で説明する。
実施例５は、問題への対応として「できること」の他に「選択肢」があると考え、これらの両方に対応できるようにしたものである。実施例５では、前記実施例１の（３）できること（４）実行内容と、前記実施例３の（３）選択肢（４）選択内容とを、交互に切り換えるものである。
図６は、図１の表示装置３の表示画面の一例で、左図が実施例１の画面表示部５ａで、右図が実施例３の画面表示部５ｃである。図６で、左図の番号６〜１２は図２の番号に対応し、右図の番号６〜１５は図４の番号に対応している。図６の１６は、表示画面上に設けた入力項目切り換えメニューである。
実施例５の動作を説明する。
図６で、まず（１）問題、（２）問題の原因を入力した後、入力項目切換メニュー１６をクリックすることで、続いて入力する（３）（４）の入力項目を、（３）できること（４）実行内容にするか、（３）選択肢（４）選択内容にするか選ぶ。その後、入力装置２により、（３）できること（４）実行内容あるいは（３）選択肢（４）選択内容を入力する。
【発明の効果（実施例５）】
【００１４】  本発明の実施例５によれば、入力項目を、（１）問題（２）原因（３）できること（４）実行内容と、（１）問題（２）原因（３）選択肢（４）選択内容とを、交互に切り換えることができるので、問題解決プログラムシステムの使い勝手が良くなる効果がある。
実施例５では、前記実施例１と前記実施例３との切り換えで説明したが、この実施例は、メッセージ表示を省いた前記実施例２と前記実施例４との切り換える場合も含むものである。
【発明の適用】
【００１５】  本発明の適用は、実施例１〜５では、図１の全体構成に示すように、コンピューター処理装置１、入力装置２、入力装置部品のマウス２ａ，表示装置３及びメモリー４を備えたパーソナルコンピューターで説明したが、コンピューター情報処理部、情報入力部、画面表示部及びメモリーを備えた携帯電話、スマートフォン、及びタブレット等も適用範囲に含むものである。
【図面の簡単な説明】
【図１】本発明の実施例１〜５の全体構成に示すブロック図
【図２】本発明の実施例１の画面表示
【図３】本発明の実施例２の画面表示
【図４】本発明の実施例３の画面表示
【図５】本発明の実施例４の画面表示
【図６】本発明の実施例５を示す入力項目切換え図である。
【符号の説明】１  コンピューター処理装置
２  入力装置
２ａ  入力装置部品のマウス
３  表示装置
４  メモリー
５  表示装置の画面表示
５ａ〜５ｄ  各実施例の画面表示
６  問題入力欄
７  原因入力欄
８  できることの入力欄
９  実行内容入力欄
１０  メッセージ表示欄
１１  入力終了ボタン
１２  ファイル処理メニュー
１３  メッセージ表示メニュー
１４  選択肢入力欄
１５  選択内容入力欄
１６  入力項目切換えメニュー
【図１】
2015185154.tif 000003
【図２】
2015185154.tif 000004
【図３】
2015185154.tif 000005
【図４】
2015185154.tif 000006
【図５】
2015185154.tif 000007
【図６】
2015185154.tif 000008